(57)【要約】【課題】上扉体又は下扉体と前面開口部のとのシールが不完全な状態で運転されるのを防止することができる食器洗い機を提供する。【解決手段】本体７と、前面に前面開口部９を有し前記本体７内に設けた洗浄槽８と、前記前面開口部９の上部及び下部の夫々を開閉する上扉体１０と下扉体１１と、前記上扉体１０と前記下扉体１１とを連動させる連動部３０と、前記上扉体１０と前記下扉体１１の少なくと一方に設けられた磁性体３８と、前面枠部３９に設けられ前記磁性体３８からの磁力を検知する磁力検知スイッチ４０とを備え、磁性体３８を設けた前記上扉体１０又は前記下扉体１１が閉成されず、磁性体３８からの磁力が磁力検知スイッチ４０で検知されなかった時に、前記本体７の運転を行わないようにしたもので、上扉体１０又は下扉体１１が所定位置に閉成されないまま運転される事の無いようにすることができる。【選択図】図１
2006181010.tif 000002
【特許請求の範囲】
【請求項１】
本体と、前面に前面開口部を有し前記本体内に設けた洗浄槽と、前記前面開口部の上部及び下部の夫々を開閉する上扉体と下扉体と、前記上扉体と前記下扉体とを連動させる連動部と、前記上扉体と前記下扉体の少なくと一方の閉成状態を検知する閉成状態検知手段とを設け、前記閉成状態検知手段で、前記上扉体と前記下扉体の少なくとも一方が閉成されていないことが検知された時に、前記本体の運転を行わないようにした食器洗い機。
【請求項２】
閉成状態検知手段を、上扉体又は下扉体に設けた磁性体と、前面開口部を形成する前面枠部に設けられ前記磁性体から発する磁力を検知する磁力検知スイッチとで形成した請求項１に記載の食器洗い機。
【請求項３】
閉成状態検知手段を、上扉体又は下扉体に設けた突起部と、前面開口部を形成する前面枠部に設けられ、前記突起部が設けられた前記上扉体又は前記下扉体が閉成された時に、前記突起部が当接する接点式スイッチとで形成した請求項１に記載の食器洗い機。
【発明の詳細な説明】
【技術分野】
【０００１】
本発明は、食器等を洗浄する食器洗い機に関するもので、特に食器洗い機の扉開閉機構に関するものである。
【背景技術】
【０００２】
従来のこの種の食器洗い機は、図５に示すように構成されていた（例えば、特許文献１参照）。
【０００３】
以下、その構成について図５を用いて説明する。食器洗い機は、食器等の被洗浄物（図示せず）を洗浄槽１に収納し、洗浄槽１に設けた前面開口部１ａを上扉体２と下扉体３により閉塞してから、洗浄ポンプ（図示せず）を運転し、洗浄水を噴射することにより、被洗浄物の洗浄およびすすぎ工程を行うようになっていた。下扉体３は、前面開口部１ａに対して閉成状態を保持するロック手段３ａと、使用者が下扉体３の開閉操作を行う取っ手部３ｂを有し、回転支点４を中心に前面開口部１ａの前下方に回転開閉する構成となっている。
【０００４】
一方、上扉体２は、回転支点５で回転支持され、本体の上方空間に開成することで、上扉体２の開閉に必要な高さを小さく抑え、高さの小さい場所にでも、設置できるようにすると同時に、上扉体２の開成状態における上扉体２の前面開口部１ａより前方への突出長さをできるだけ小さくし、被洗浄物の出し入れ等に支障がないよう構成していた。さらに、連動部６により、下扉体３と上扉体２の動作を連動させることで、使用者は、取っ手部３ｂを持って、下扉体３を開閉させるだけで、上扉体２の開閉もでき、使い勝手のよい食器洗い機を実現していた。
【特許文献１】特開２００２−２７２６６０号公報
【発明の開示】
【発明が解決しようとする課題】
【０００５】
しかしながら、従来の食器洗い機の開閉構成では、上扉体２の開閉動作が連動部６を介して行われるため、閉成位置が不安定になり、前面開口部１ａと上扉体２のシールが不完全な状態で運転されるという課題を有していた。
【０００６】
本発明は、前記従来の課題を解決するもので、上扉体と前面開口部のシールが不完全な状態での運転を防止することができる食器洗い機を提供することを目的とする。
【課題を解決するための手段】
【０００７】
前記従来の課題を解決するために、本発明の食器洗い機は、本体と、前面に前面開口部を有し前記本体内に設けた洗浄槽と、前記前面開口部の上部及び下部の夫々を開閉する上扉体と下扉体と、前記上扉体と前記下扉体とを連動させる連動部と、前記上扉体と前記下扉体の少なくと一方の閉成状態を検知する閉成状態検知手段とを設け、前記閉成状態検知手段で、前記上扉体と前記下扉体の少なくとも一方が閉成されていないことが検知された時に、前記本体の運転を行わないようにしたもので、上扉体又は下扉体が所定位置に閉成されないまま運転される事の無いようにすることができる。
【発明の効果】
【０００８】
本発明の食器洗い機は、扉体の不完全閉成を検知して、上扉体と前面開口部のシールが不完全な状態での運転を防止することができる。
【発明を実施するための最良の形態】
【０００９】
第１の発明は、本体と、前面に前面開口部を有し前記本体内に設けた洗浄槽と、前記前面開口部の上部及び下部の夫々を開閉する上扉体と下扉体と、前記上扉体と前記下扉体とを連動させる連動部と、前記上扉体と前記下扉体の少なくと一方の閉成状態を検知する閉成状態検知手段とを設け、前記閉成状態検知手段で、前記上扉体と前記下扉体の少なくとも一方が閉成されていないことが検知された時に、前記本体の運転を行わないようにしたもので、上扉体又は下扉体が所定位置に閉成されないまま運転される事の無いようにすることができる。
【００１０】
第２の発明は、特に、第１の発明の閉成状態検知手段を、上扉体又は下扉体に設けた磁性体と、前面開口部を形成する前面枠部に設けられ前記磁性体から発する磁力を検知する磁力検知スイッチとで形成したもので、扉体が所定位置に閉成しない時に、磁力検知スイッチが磁性体の磁力を検知しないため、扉体が不完全閉成状態であることを確実に検知できる。
【００１１】
第３の発明は、特に、第１の発明の閉成状態検知手段を、上扉体又は下扉体に設けた突起部と、前面開口部を形成する前面枠部に設けられ、前記突起部が設けられた前記上扉体又は前記下扉体が閉成された時に、前記突起部が当接する接点式スイッチとで形成したもので、突起部を設けた上扉体又は下扉体が所定位置に閉成しない時に、突起部が接点式スイッチに当接しないので、上扉体又は下扉体が不完全閉成状態であることを確実に検知できる。
【００１２】
以下、本発明の実施の形態について図面を参照しながら説明する。なお、本実施の形態によって本発明が限定されるものではない。
【００１３】
（実施の形態１）
図１は、本発明の第１の実施の形態における食器洗い機の側壁部断面図、図２は、同食器洗い機の斜視図、図３は、同食器洗い機の要部断面図である。
【００１４】
食器洗い機本体７（以下「本体７」という）は、内部に洗浄槽８が設けられており、この洗浄槽８の前面開口部９の上部、下部の夫々が上扉体１０と下扉体１１により開閉されるようになっている。洗浄槽８内部には、食器などの被洗浄物（図示せず）をセットする食器かご（図示せず）が収納されている。上扉体１０をスライド自在に支持するスライド支持部１２は、一端が洗浄槽８の側壁上部に設けた第１の回転支点１３で回転自在に支持され、他端が上扉体１０に設けたスライド溝部１４に、２点のスライド係合部１５によりスライド自在に支持されている。
【００１５】
スライド溝部１４の溝幅は、上扉体１０の閉成状態で、スライド係合部１５が係合する近傍だけ他の範囲より狭くなっており、上扉体１０の閉成状態でのスライド溝部１４とスライド係合部１５の隙間は、加工誤差、組立て誤差を考慮した時に両部品が突っ張って、開閉動作がロックすることのない必要最小限の設定となっている。スライド溝部１４の他の部分での幅は、スライド係合部１５の摺動に影響がでないよう十分な幅寸法が確保されている。またスライド係合部１５には、回転自在なローラー部１６が設けられており、スライド係合部１５のスライド溝部１４内の摺動をスムーズにしている。
【００１６】
また、上扉体１０を一意的な所定軌跡で開閉移動させるための動作規制手段として、互いの一端同士を第１の連結点１７で回転自在に連結した第１の動作規制部１８と第２の動作規制部１９が設けられており、第１の動作規制部１８の他端は洗浄槽８の側壁に設けた第２の回転支点２０で回転自在に支持され、第２の動作規制部１９の他端は、上扉体１０の下端に設けた固定点２１に固定されている。
【００１７】
第１の動作規制部１８、第２の動作規制部１９が本体７の前面の側部から外部に出入りする部分には、動作規制部収納口２２が設けられている。また、第１の動作規制部１８は、上扉体１０の開成状態で、下方向に凸となるＶ字形状となっており、同じく上扉体１０の開成状態で動作規制収納口２２と当接する第１のリブ２３が設けられている。
【００１８】
下扉体１１は、洗浄槽８の前面開口部９の下端部近傍で第３の回転支点２４により回転自在に支持された下支持部２５に固定されており、前面開口部９の前下方にその内面が上向き水平となる位置まで開放する。下扉体１１には、押しボタンスイッチ２６と、下扉体１１を閉成状態に固定するロック手段２７を設け、押しボタンスイッチ２６を押す事により、洗浄槽８の側壁に設けた係止部２８からロック手段２７を解除できるようにしている。上扉体１０および下扉体１１と前面開口部９のシール、および上扉体１０、下扉体１１間のシールを行うために、前面開口部９と上扉体１０には弾性体で形成されたシール部材２９が設けられている。
【００１９】
また、連動部３０の一端を、第１の動作規制部１８と第２の連結点３１を介して回転自在に連結し、他端を下支持部２５と第３の連結点３２で回転自在に連結することで、上扉体１０と下扉体１１が連動して開閉する構成となっている。さらに連動部３０に設けた第１の保持部３３と洗浄槽８の側壁に設けた第２の保持部３４を第１のスプリング３５（引張りコイルバネ）で連結し、上、下扉体１０、１１が開放する方向に弾性的に付勢するよう構成している。連動部３０の本体７の外部に露出する部分には、保護部材３６が設けられている。また、洗浄槽８の側壁には、連動部３０と当接して上、下扉体１０、１１の開成状態を維持するストッパー部３７が設けられている。
【００２０】
図３に示すように、上扉体１０には、磁性体３８が設けられており、洗浄槽８の前面枠部３９には、磁性体３８からの磁力を検知する磁力検知スイッチ４０が設けられており、上扉体１０が所定閉成位置に位置する時に、磁性体３８の磁力を磁力検知スイッチ４０が検知するように構成されている。即ち、磁性体３８と磁力検知スイッチ４０とで、上扉体１０の閉成状態を検知する閉成状態検知手段が形成されている。
【００２１】
以上のように構成された食器洗い機についてその作用を説明する。押しボタンスイッチ２６を押すことで、ロック手段２７が解除され、第１のスプリング３５による上、下扉体１０、１１の開放側へ付勢された連動部３０により、上扉体１０と下扉体１１は連動して閉成状態から連動部３０がストッパー部３７と当接する開成状態まで自動的に開放される。
【００２２】
上、下扉体１０、１１の開放動作の詳細は以下の通りである。
【００２３】
下扉体１１の開放動作は、洗浄槽８の下端を中心に前下方に回転し、その内面が上向き水平となる位置まで回転する。
【００２４】
上扉体１０は、一端側が洗浄槽８の側壁に回転支持され、他端側で上扉体１０のスライド溝部１４をスライド支持しているスライド支持部１２により、回転とスライドが組み合わさった軌跡で移動する。これにより、図５の従来のように単純に支持部材により回転支持されている場合と比べて、移動軌跡の自由度が高くなっている。ただし、このスライド支持部１２だけでは、上扉体１０の回動軌跡は一意的に決まらず、自在に移動してしまい、本体７の上面等に衝突するなどの恐れがある。
【００２５】
そこで第１の動作規制部１８と第２の動作規制部１９により、上扉体１０の移動軌跡を一意的に規制している。これによって、上扉体１０を本体７の外殻形状に沿うように本体７の上方に移動させることが可能となり、上扉体１０の開閉に必要な設置高さを従来より低く抑えた設置性のよい食器洗い機を実現できる。
【００２６】
また、完全に開成した状態で、上扉体１０の、前面開口部９より前方に出た突出長さも小さくできるため、洗浄槽８内が見やすく、食器等の出し入れにも邪魔にならない使い勝手のよい食器洗い機を実現できる。
【００２７】
上扉体１０の開成状態においては、動作規制部収納口２２が第１の動作規制部１８に設けられた第１のリブ２３と当接することで、上扉体１０が本体７の上面でぐらつくことがなく、製品の品位を損ねる事がない。
【００２８】
上、下扉体１０、１１の開放後、下扉体１１に食器かごを引出し、被洗浄物をセットする。食器かごを下扉体１１内面上に引出す構成をとっているので、被洗浄物から垂れた汁、水滴が食器洗い機外へ流出するのを防止することができる。
【００２９】
続いて、食器かごを洗浄槽８内に収納し、下扉体１１を閉塞する。上扉体１０と下扉体１１は連動部３０により連動して開閉する構成となっているので、上扉体１０も同時に閉塞される。
【００３０】
スライド溝部１４とスライド係合部１５の隙間は、上扉体１０の閉成時だけ狭く設定されているため、上扉体１０の閉成時には上扉体１０とスライド支持部１２のガタツキを最小限に抑え、開閉途中にはスライド溝部１４とスライド係合部１５がスムーズに摺動する安定した扉体開閉動作を実現している。また、スライド係合部１５にローラー部１６を設けることで、スライド溝部１４とスライド係合部１５の摺動抵抗はさらに低減でき、より安定した扉体開閉動作を実現できる。
【００３１】
また、上扉体１０が所定閉成位置に閉成している時のみ、磁力検知スイッチ４０が磁性体３８の磁力を検知する構成となっているので、上扉体１０の不完全閉成を検知することができ、その検知結果に基づき図示しない制御回路で食器洗い機の運転を停止あるいは動作しないようにすれば、上扉体１０と前面開口部９のシールが不完全な状態での運転を防止することができる。
【００３２】
（実施の形態２）
図４は、本発明の第２の実施の形態における食器洗い機の要部断面図である。なお、上記第１の実施の形態と同一部分については、同一符号を付してその説明を省略する。
【００３３】
本実施の形態は、前面枠部３９に、穴部４３を設け、穴部４３の後方に、食器洗い機の運転を制御する制御回路（図示せず）に接続された接点式スイッチ４２を配置し、上扉体１０が所定閉成位置に閉成している時は、図４に示すように、上扉体１０に設けた突起部４１が、穴部４３を通して、接点式スイッチ４２に当接するようにしたものである。
【００３４】
即ち、上扉体１０が所定閉成位置に閉成しない時は、突起部４３が接点式スイッチ４２と当接しないため、上扉体１０の不完全閉成を検知することができ、その検知結果に基づき制御回路が食器洗い機の運転を停止或いは動作しないようにすれば、上扉体１０と前面開口部９のシールが不完全な状態での運転を防止することができる。
【００３５】
なお、上述した扉体の開閉リンク機構は、洗浄槽８、及び扉体の左右両側に設けられている。
【産業上の利用可能性】
【００３６】
以上のように、本発明にかかる食器洗い機は、扉体と洗浄槽のシールが不完全な状態での運転を防止したものであり、食器洗い機に限らず扉体を使用する洗濯機、洗浄機、調理機器など各種機器に適用できる。
【図面の簡単な説明】
【００３７】
【図１】本発明の実施の形態１における食器洗い機の側壁部断面図
【図２】同食器洗い機の斜視図
【図３】同食器洗い機の要部断面図
【図４】本発明の実施の形態２における食器洗い機の要部断面図
【図５】従来の食器洗い機の側壁部の主要断面図
【符号の説明】
【００３８】
７  食器洗い機本体（本体）
８  洗浄槽
９  前面開口部
１０  上扉体
１１  下扉体
３０  連動部
３８  磁性体（閉成状態検知手段）
４０  磁力検知スイッチ（閉成状態検知手段）
【図１】
2006181010.tif 000003
【図２】
2006181010.tif 000004
【図３】
2006181010.tif 000005
【図４】
2006181010.tif 000006
【図５】
2006181010.tif 000007